(57)【要約】      （修正有）【課題】周波数検出部と多色発光ダイオードの組み合わせによって任意の周波数の強弱を光によって表示する電磁波表示器を提供する。【解決手段】周波数検出部によって検出・計測されたデータを、多色発光ダイオードの発光色及び点滅データに変換し、特定周波数に対応する色彩光を発し点滅させ、簡易表示する。またユーザーニーズにより、任意で発光色・点滅レベルを設定することもできる。電源電圧の低下による発光色の色ぶれを防止するため、電圧安定回路を併設し一定電圧を確保するとともに、電源電圧が一定値を下回った時には、動作電圧判別回路が働き、全回路への電流の供給を停止し、誤発色によるトラブルを未然に防止する。【選択図】図１
0003146932.tif 000002
【実用新案登録請求の範囲】
【考案の詳細な説明】
【技術分野】
【０００１】  本考案は、周波数検出部と多色発光ダイオードの組み合わせによって任意の周波数の強弱を光によって表示する電磁波表示器に属する。
【背景技術】
【０００２】  従来の周波数表示は、周波数検出部によって検出された周波数をデジタル数字に置き変えて表示しり、簡易的にタコメーターでアナログ表示していた。
【考案の開示】
【考案が解決しようとする課題】
【０００３】  特定の周波数をもつ電磁波は、人体及び病院・飛行機などの不具合を生ずるものとされているが、計測器は高度で専門的知識がなくては操作が出来ず、かつ高価な物となっているため、専門知識を有しない者にとって把握しづらいものであった。
【課題を解決するための手段】
【０００４】  まず、赤色、緑色及び青色発光色素からなる多色発光ダイオードにおいて、人体及び機械類に不具合を生じさせるそれぞれの周波数を特定の上、各色相に表示役割を定義づける。【０００５】  それぞれの発光色には受け持ちの周波数を設定し、検出部で検出された周波数に対応する色彩光が表示される。【０００６】  検知された周波数の強弱は、各色相の点滅により表示される。検知された周波数が強くなるほど、点滅の間隔が短くなり、想定極限値を超えたときは点灯する。【０００７】  点滅間隔は、予め強弱を多段階に設定する他、ユーザーニーズに基づき設定する。【０００８】  周波数検出部は、センサー周辺の電磁波を検出して測定する。
測定値はマイコン内で発色データへ変換され、発光色・点滅レベルが定められる。【０００９】  電源である乾電池の電圧低下による多色発光ダイオードの発色ぶれを防止するため、一定電圧に保つ回路を併設すると共に、一定電圧を下回った時は機能を強制的に停止する。
【考案の効果】
【００１０】  本考案は、人体及び機械類に不具合を生じさせるおそれのある特定周波数の電磁波を検出し、かつその強度を光りの色彩及び点滅で簡易表示するものである。
また、昨今問題視されている盗聴・隠し撮りといったプライベートを侵害する犯罪の抑制手段として活用することが出来る。
【考案実施の形態】
【００１１】  周波数検出部においては、センサー周辺の電磁波及びのその強弱を検出し計測する。
【００１２】  周波数−電圧変換回路及びマイコン部においては、計測された周波数を色表示データ・点滅データに変換する。
【００１３】  ＬＥＤ発色部においては、色表示データに対応する色彩光を発光し点滅する。
【００１４】  スイッチ入力安定回路においては、ノイズを除去するとともに、スイッチ操作時のチャタリングの影響を防止する。
【００１５】  電圧安定回路においては、乾電池から供給された電流の電圧を一定幅内に収まるよう制御する。
【００１６】  動作電圧判別回路においては、電源から供給される電流の電圧が一定値を下回った段階で、全回路への電流の供給を停止し、誤発色を防止する。
【図面の簡単な説明】
【００１７】
【図１】図は、本考案のブロック図を示したものである。
【符号の説明】
【００１８】各部名称は、以下のとおりである。
ａ．周波数検出部
ｂ．周波数−電圧変換回路
ｃ．マイコン
ｄ．ＬＥＤ発光部
ｅ．スイッチ入力安定化回路
ｆ．電圧安定化回路
ｇ．動作電圧判別回路
【図１】
0003146932.tif 000003
【手続補正書】
【提出日】平成20年9月2日(2008.9.2)
【手続補正１】
【補正対象書類名】実用新案登録請求の範囲
【補正対象項目名】全文
【補正方法】変更
【補正の内容】
【実用新案登録請求の範囲】
【請求項１】
周波数検出部で検出された数値をデータ変換し、多色発光ダイオードの発光色により、周波数及びその強弱を表示する電磁波表示器
【手続補正２】
【補正対象書類名】明細書
【補正対象項目名】全文
【補正方法】変更
【補正の内容】
【考案の詳細な説明】
【考案の詳細な説明】
【技術分野】
【技術分野】
【０００１】  本考案は、周波数検出部と多色発光ダイオードの組み合わせによって任意の周波数の強弱を光によって表示する電磁波表示器に属する。
【背景技術】
【０００２】  従来の周波数表示は、周波数検出部によって検出された周波数をデジタル数字に置き変えて表示したり、簡易的にタコメーターでアナログ表示していた。
【考案の開示】
【考案が解決しようとする課題】
【０００３】  特定の周波数をもつ電磁波は、人体及び病院・飛行機などの不具合を生ずるものとされているが、計測器は高度で専門的知識がなくては操作が出来ず、かつ高価な物となっているため、専門知識を有しない者にとって把握しづらいものであった。
【課題を解決するための手段】
【０００４】  まず、赤色、緑色及び青色発光色素からなる多色発光ダイオードにおいて、人体及び機械類に不具合を生じさせるそれぞれの周波数を特定の上、各色相に表示役割を定義づける。【０００５】  それぞれの発光色には受け持ちの周波数を設定し、検出部で検出された周波数に対応する色彩光が表示される。【０００６】  検知された周波数の強弱は、各色相の点滅により表示される。検知された周波数が強くなるほど、点滅の間隔が短くなり、想定極限値を超えたときは点灯する。【０００７】  点滅間隔は、予め強弱を多段階に設定する他、ユーザーニーズに基づき設定する。【０００８】  周波数検出部は、センサー周辺の電磁波を検出して測定する。
測定値はマイコン内で発色データへ変換され、発光色・点滅レベルが定められる。【０００９】  電源である乾電池の電圧低下による多色発光ダイオードの発色ぶれを防止するため、一定電圧に保つ回路を併設すると共に、一定電圧を下回った時は機能を強制的に停止する。
【考案の効果】
【００１０】  本考案は、人体及び機械類に不具合を生じさせるおそれのある特定周波数の電磁波を検出し、かつその強度を光りの色彩及び点滅で簡易表示するものである。
また、昨今問題視されている盗聴・隠し撮りといったプライベートを侵害する犯罪の抑制手段として活用することが出来る。
【考案実施の形態】
【００１１】  周波数検出部においては、センサー周辺の電磁波及びのその強弱を検出し計測する。
【００１２】  周波数−電圧変換回路及びマイコン部においては、計測された周波数を色表示データ・点滅データに変換する。
【００１３】  ＬＥＤ発色部においては、色表示データに対応する色彩光を発光し点滅する。
【００１４】  スイッチ入力安定回路においては、ノイズを除去するとともに、スイッチ操作時のチャタリングの影響を防止する。
【００１５】  電圧安定回路においては、乾電池から供給された電流の電圧を一定幅内に収まるよう制御する。
【００１６】  動作電圧判別回路においては、電源から供給される電流の電圧が一定値を下回った段階で、全回路への電流の供給を停止し、誤発色を防止する。
【図面の簡単な説明】
【００１７】
【図１】図は、本考案のブロック図を示したものである。
【符号の説明】
【００１８】各部名称は、以下のとおりである。
ａ．周波数検出部
ｂ．周波数−電圧変換回路
ｃ．マイコン
ｄ．ＬＥＤ発光部
ｅ．スイッチ入力安定化回路
ｆ．電圧安定化回路
ｇ．動作電圧判別回路